(57)【要約】【課題】  デザイン性に優れ、複写機等によって複製できることで、真正であることを判定するホログラム構造体及びセキュリティ媒体を提供する。【解決手段】  ホログラム１は、第１格子角度分布を有する第１絵柄１ａと、第１格子角度分布の格子角度と異なる第２格子角度分布を有する第２絵柄１ｂと、を少なくとも備えることを特徴とする。【選択図】図１
2015166761.tif 000002
【特許請求の範囲】
【請求項１】
第１格子角度分布を有する第１絵柄と、
第１格子角度分布の格子角度と異なる第２格子角度分布を有する第２絵柄と、
を少なくとも備えることを特徴とするホログラム。
【請求項２】
前記第１絵柄と前記第２絵柄は、少なくとも一部が重なるように連続して再生される
ことを特徴とする請求項１に記載のホログラム。
【請求項３】
前記第１格子角度分布の格子角度と前記第２格子角度分布の格子角度は、直交する
ことを特徴とする請求項１または請求項２に記載のホログラム。
【請求項４】
請求項１乃至３のいずれか１項に記載されたホログラムと、
前記ホログラムを接着する被着体と、
を備えることを特徴とするセキュリティ媒体。
【発明の詳細な説明】
【技術分野】
【０００１】
本発明は、物品等に貼付又は転写することで、物品の偽造を防止するホログラム及びセキュリティ媒体に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、ホログラムを用いて、コピー機等による複製を防止する技術が開示されている（特許文献１）。
【０００３】
図８は、従来のホログラムをコピーする状態の概略図を示す。図９は、従来のホログラムをコピーした後の複製品の概略図を示す。
【０００４】
図８に示すように、照明装置５０及び撮像装置６０を搭載する複写機は、機種に応じてそれぞれ様々な照明角度及び撮像角度に設定された照明装置５０及び撮像装置６０を有する。したがって、絵柄１０１ａの入ったホログラム１０１を複写機等でコピーする場合、原稿の向き、ホログラムの角度分布、照明角度、撮像装置の向き等の組み合わせによって、絵柄がコピーされない場合がある。すなわち、コピー後の複製品には、図９に示すように、絵柄１１１ａが見える複製品１１１と見えない複製品１１２が存在する。
【先行技術文献】
【特許文献】
【０００５】
【特許文献１】特開２００８−１４２９１４号公報
【発明の概要】
【発明が解決しようとする課題】
【０００６】
しかしながら、特許文献１に開示されたようにコピー機等による複製を防止するのではなく、カードの真贋を記録に残すため、あえてコピー機等で複製を可能とすることを望む場合がある。例えば、任意の会の入会時に求められる身分証明書等のコピーを保管する場合、身分証明書に存在する絵柄がある程度コピー機等で複製されることで、その身分証明書が真正であることが判別できる場合がある。
【０００７】
本発明は、デザイン性に優れ、複写機等によって複製できることで、真正であることを判定するホログラム及びセキュリティ媒体を提供する。
【課題を解決するための手段】
【０００８】
上記目的を達成する本発明にかかるホログラムは、
第１格子角度分布を有する第１絵柄と、
第１格子角度分布の格子角度と異なる第２格子角度分布を有する第２絵柄と、
を少なくとも備えることを特徴とする。
【０００９】
また、本発明にかかるホログラムは、
前記第１絵柄と前記第２絵柄は、少なくとも一部が重なるように連続して再生される
ことを特徴とする。
【００１０】
また、本発明にかかるホログラムは、
前記第１格子角度分布の格子角度と前記第２格子角度分布の格子角度は、直交する
ことを特徴とする。
【００１１】
また、本発明にかかるセキュリティ媒体は、
前記ホログラムと、
前記ホログラムを接着する被着体と、
を備えることを特徴とする。
【発明の効果】
【００１２】
本発明によれば、デザイン性に優れ、複写機等によって複製できることで、真正であることを判定するホログラム及びセキュリティ媒体を提供することが可能となる。
【図面の簡単な説明】
【００１３】
【図１】本実施形態のホログラム積層体の原理を示す図である。
【図２】本実施形態のホログラム層に用いるホログラム転写箔の一例を示す図である。
【図３】本実施形態のホログラムをコピーする状態の概略図を示す。
【図４】本実施形態のホログラムをコピーした後の複製品の概略図を示す。
【図５】第３実施形態のホログラム構造体の一例を示す図である。
【図８】従来のホログラムをコピーする状態の概略図を示す。
【図９】従来のホログラムをコピーした後の複製品の概略図を示す。
【発明を実施するための形態】
【００１４】
以下、図面を参照にして本発明にかかるホログラムについて説明する。
【００１５】
図１は、第１実施形態のホログラム１の概略図を示す。図２は、第１実施形態のホログラム１の格子角度分布の概略図を示す。
【００１６】
第１実施形態では、一例として、図１に示すように、ホログラム１は、太陽を示す第１絵柄１ａ、月を示す第２絵柄１ｂ、及びハートを示す第３絵柄１ｃを有する。それぞれの絵柄１ａ，１ｂ，１ｃは、それぞれ異なる所定角度の光によって再生するように形成されている。なお、ホログラム１は、カード等の被着体１０ａに接着され、セキュリティ媒体１０を構成する。
【００１７】
すなわち、各絵柄１ａ，１ｂ，１ｃは、図２に示すように、それぞれ格子角度分布の設定が異なるように形成される。例えば、太陽を示す第１絵柄１ａの格子角度を垂直方向とすると、月を示す第２絵柄１ｂの格子角度を左上がりの４５°、ハートを示す第３絵柄１ｃの格子角度を右上がりの４５°に形成する。特に、少なくとも２つの絵柄の格子角度は、直交することが好ましい。少なくとも２つの絵柄の格子角度を直交させることで、複製される可能性のある角度範囲が広くなり、好ましい。
【００１８】
図３は、第１実施形態のホログラムをコピーする状態の概略図を示す。図４は、第１実施形態のホログラムをコピーした後の複製品の概略図を示す。
【００１９】
図３に示すように、照明装置５０及び撮像装置６０を搭載する複写機は、機種に応じてそれぞれ様々な照明角度及び撮像角度に設定された照明装置５０及び撮像装置６０を有する。したがって、絵柄１ａ，１ｂ，１ｃの入ったホログラム１を複写機等でコピーする場合、原稿の向き、ホログラムの角度分布、照明角度、撮像装置の向き等の組み合わせによって、絵柄がコピーされる場合とされない場合とがある。すなわち、コピー後の複製品には、図４（ａ）に示す第１絵柄１１ａ、図４（ｂ）に示す第２絵柄１１ｂ、図４（ｃ）に示す第２絵柄１１ｃのいずれかが見える複製品１１、又は図９（ｂ）に示すような絵柄の見えない複製品１１２が存在する。
【００２０】
したがって、複写機でホログラム１の角度を変えながら数枚コピーすることによって、各絵柄１１ａ，１１ｂ，１１ｃのいずれかが見える複製品１１を少なくとも２枚作製することが可能となる。すなわち、任意の会の入会時に求められる身分証明書等のコピーを保管する場合、身分証明書に存在する絵柄がある程度コピー機等で複製されることで、その身分証明書が真正であることが判別することが可能となる。
【００２１】
図５は、第２実施形態のホログラム１の格子角度分布の概略図を示す。図６は、第２実施形態のホログラムをコピーした後の複製品の概略図を示す。
【００２２】
第２実施形態では、ホログラム１は、太陽を示す第１絵柄１ａ、月を示す第２絵柄１ｂ、及びハートを示す第３絵柄１ｃを有する。それぞれの絵柄１ａ，１ｂ，１ｃは、それぞれ異なる所定角度の光によって再生するように形成されている。ここで、第１実施形態とは異なり、第２実施形態のホログラム１は、各絵柄が少なくとも一部が重なるように連続して再生されるように形成する。特に、３６０°にわたって連続して再生されると好ましい。すなわち、各絵柄１ａ，１ｂ，１ｃは、図４に示すように、１つずつ見える場合、又は、図６に示すように、２つずつ見える場合のいずれかとなる。
【００２３】
すなわち、第１絵柄１ａと第２絵柄１ｂが重なるように再生される部分では、図６（ａ）のように再生され、第２絵柄１ｂと第３絵柄１ｃが重なるように再生される部分では、図６（ｂ）のように再生され、第３絵柄１ｃと第１絵柄１ａが重なるように再生される部分では、図６（ｃ）のように再生される。
【００２４】
したがって、複写機でホログラム１をコピーすることによって、各絵柄１１ａ，１１ｂ，１１ｃのいずれかが必ず見える複製品１１を作製することが可能となる。すなわち、任意の会の入会時に求められる身分証明書等のコピーを保管する場合、身分証明書に存在する絵柄がある程度コピー機等で複製されることで、その身分証明書が真正であることが判別することが可能となる。
【００２５】
図７は、第３実施形態のホログラム１の格子角度分布の概略図を示す。
【００２６】
第３実施形態では、一例として、図７に示すように、ホログラム１は、星を示す第１絵柄１ｄ及び雲を示す第２絵柄１ｅを有する。それぞれの絵柄１ｄ，１ｅは、それぞれ異なる所定角度の光によって再生するように形成されている。
【００２７】
すなわち、各絵柄１ｄ，１ｅは、図７に示すように、それぞれ格子角度分布の設定が異なるように形成される。例えば、星を示す第１絵柄１ｄの格子角度を水平方向とすると、雲を示す第２絵柄１ｅの格子角度を垂直方向に形成する。特に、各絵柄の格子角度が直交することが好ましい。
【００２８】
したがって、複写機でホログラム１の角度を変えながら数枚コピーすることによって、各絵柄１１ｄ，１１ｅのいずれかが見える複製品１１を作製することが可能となる。すなわち、任意の会の入会時に求められる身分証明書等のコピーを保管する場合、身分証明書に存在する絵柄がある程度コピー機等で複製されることで、その身分証明書が真正であることが判別することが可能となる。特に、各絵柄の格子角度を直交させることで、複製される可能性のある角度範囲が広くなり、好ましい。
【００２９】
各実施形態で説明したホログラム１は、図１に示したように、カード等の被着体１０ａに接着され、セキュリティ媒体１０を構成する。
【００３０】
したがって、複写機でセキュリティ媒体１０の角度を変えながら数枚コピーすることによって、各絵柄１１ａ〜１１ｅのいずれかが見える複製品１１を作製することが可能となる。すなわち、任意の会の入会時に求められるセキュリティ媒体１０のコピーを保管する場合、セキュリティ媒体１０に存在する絵柄がある程度コピー機等で複製されることで、そのセキュリティ媒体１０が真正であることが判別することが可能となる。
【００３１】
なお、本実施形態における絵柄とは、絵のみを示すものではなく、文字、記号、及び模様も含むものとする。
【００３２】
このように、本実施形態のホログラム１は、  第１格子角度分布を有する第１絵柄１ａと、第１格子角度分布の格子角度と異なる第２格子角度分布を有する第２絵柄１ｂと、を少なくとも備えるので、デザイン性に優れ、複写機等によって複製できることで、真正であることを判定することが可能となる。
【００３３】
また、本実施形態のホログラム１は、第１絵柄１ａと第２絵柄１ｂは、少なくとも一部が重なるように連続して再生されるので、各絵柄１１ａ，１１ｂのいずれかが必ず見える複製品１１を作製することが可能となる。
【００３４】
また、本実施形態のホログラム１は、第１格子角度分布の格子角度と第２格子角度分布の格子角度は、直交するので、複製される可能性のある角度範囲を広くすることが可能となる。
【００３５】
また、本実施形態のセキュリティ媒体１０は、ホログラム１と、ホログラム１を接着する被着体１０ａと、を備えるので、デザイン性に優れ、複写機等によって複製できることで、真正であることを判定することが可能となる。
【００３６】
以上、ホログラム及びセキュリティ媒体をいくつかの実施例に基づいて説明してきたが、本発明はこれら実施例に限定されず種々の組み合わせ又は変形が可能である。
【符号の説明】
【００３７】
１…ホログラム
１ａ，１ｄ…第１絵柄
１ｂ，１ｅ…第２絵柄
１ｃ…第３絵柄
１０…セキュリティ媒体
１０ａ…被着体
１１…複製品
５０…照明装置
６０…撮像装置
【図１】
2015166761.tif 000003
【図２】
2015166761.tif 000004
【図３】
2015166761.tif 000005
【図４】
2015166761.tif 000006
【図５】
2015166761.tif 000007
【図６】
2015166761.tif 000008
【図７】
2015166761.tif 000009
【図８】
2015166761.tif 000010
【図９】
2015166761.tif 000011
【手続補正書】
【提出日】平成26年3月24日(2014.3.24)
【手続補正１】
【補正対象書類名】明細書
【補正対象項目名】００１３
【補正方法】変更
【補正の内容】
【００１３】
【図１】第１実施形態のホログラムの概略図を示す。
【図２】第１実施形態のホログラムの格子角度分布の概略図を示す。
【図３】第１実施形態のホログラムをコピーする状態の概略図を示す。
【図４】第１実施形態のホログラムをコピーした後の複製品の概略図を示す。
【図５】第２実施形態のホログラムの格子角度分布の概略図を示す。
【図６】第２実施形態のホログラムをコピーした後の複製品の概略図を示す。
【図７】第３実施形態のホログラムの格子角度分布の概略図を示す。
【図８】従来のホログラムをコピーする状態の概略図を示す。
【図９】従来のホログラムをコピーした後の複製品の概略図を示す。